(57)【要約】      （修正有）【課題】高層ビル屋上等の高い或いは狭い設置場所においても搬入、組み立てが容易である太陽光発電設備用架台を支持するための土台組立用プレートキットを提供する。【解決手段】土台組立用プレートキットは、下段プレートＡと、その上に１枚以上を積層するための上段プレートＢ１乃至Ｂｎと、該下段プレートＡと上段プレートＢ１乃至Ｂｎとを繋ぐための板繋ぎボルトとの組合せからなり、前記下段プレートＡは、一方の面側に板繋ぎボルトをプレート面から立設するための雌ネジ孔が長手方向に等間隔で複数穿孔された帯状の最下段プレートユニットＡ１乃至Ａｎからなり、前記プレートＢ１乃至Ｂｎは、それぞれ、前記板繋ぎボルトの立設間隔と同じ間隔で、該板繋ぎボルトを嵌挿しうる接続孔が設けられた複数の帯状の上段プレートユニットの集合乃至Ｂｎ１〜Ｂｎｎの集合からなる。【選択図】図４
2005299127.tif 000002
【特許請求の範囲】
【請求項１】
下段プレート（Ａ）と、その上に１枚以上を積層するための上段プレート（Ｂ１）乃至（Ｂｎ）と、該下段プレート（Ａ）と上段プレート（Ｂ１）乃至（Ｂｎ）とを繋ぐための板繋ぎボルトとの組合せからなり、前記下段プレート（Ａ）は、一方の面側に板繋ぎボルトをプレート面から立設するための雌ネジ孔が長手方向に等間隔で複数穿孔された帯状の最下段プレートユニット（Ａ１）乃至（Ａｎ）からなり、前記プレート（Ｂ１）乃至（Ｂｎ）は、それぞれ、前記板繋ぎボルトの立設間隔と同じ間隔で、該板繋ぎボルトを嵌挿しうる接続孔が設けられた複数の帯状の上段プレートユニット（Ｂ１１）〜（Ｂ１ｎ）の集合乃至（Ｂｎ１）〜（Ｂｎｎ）の集合からなり、前記上段プレート（Ｂ１）〜（Ｂｎ）の各プレートユニット（Ｂ１１）〜（Ｂ１ｎ）乃至（Ｂｎ１）〜（Ｂｎｎ）のそれぞれの集合は、長手方向に配列された前記下段プレートユニット（Ａ１）乃至（Ａｎ）の板繋ぎボルトを前記プレートユニット接続孔に嵌挿することにより、前記下段プレート（Ａ）上にプレートユニットを順次積層したときに、該下段プレート（Ａ）と共に細長い直方体土台を形成するものであることを特徴とする太陽光発電設備用架台を支持するための土台組立用プレートキット。
【請求項２】
前記最下段プレート（Ａ）が、異なる長さのユニットからなり、また、前記各上段プレート（Ｂ１）乃至（Ｂｎ）も、それぞれ、異なる長さのユニット（Ｂ１１）〜（Ｂ１ｎ）乃至（Ｂｎ１）〜（Ｂｎｎ）からなり、これらプレートユニットの長さの比は、最短のプレートユニットとその余のプレートユニットとの長さ比が、該最短のプレートユニット長さのいずれかの公倍数の関係にあることを特徴とする請求項１に記載の太陽光発電設備用架台を支持するための土台組立用プレートキット。
【請求項３】
前記プレートユニットは、最も長いものと、該最も長い長さ１に対して２／３の長さのものと１／３の長さのものとの３種類からなることを特徴とする請求項２に記載の太陽光発電設備用架台を支持するための土台組立用プレートキット。
【請求項４】
前記最上段プレート（Ｂｎ）は、太陽光発電設備用架台の高さ調整用アングルピースを１箇所以上に付設したものであることを特徴とする請求項１乃至３のいずれかに記載の太陽光発電設備用架台を支持するための土台組立用プレートキット。
【請求項５】
請求項１乃至４のいずれかに記載の土台組立用プレートキットを用いて組み立てた太陽光発電設備用架台を支持するための土台であって、前記最下段プレート（Ａ）の各最下段プレートユニット（Ａ１）乃至（Ａｎ）を、前記板繋ぎボルトを上向きに立設し、かつ各最下段プレートユニット（Ａ１）乃至（Ａｎ）を、水抜き用隙間を置いて長手方向に配置し、次いで前記複数のプレート（Ｂ１）乃至（Ｂｎ）のそれぞれのプレートユニットを、該プレートユニットに設けられた接続孔への前記板繋ぎボルトの嵌挿を介して、前記最下段プレート（Ａ）上にプレート（Ｂ）の（Ｂ１）乃至（Ｂｎ）のプレートユニットを１層以上積層した後、該板繋ぎボルトを締結して組み立てたことを特徴とする太陽光発電設備用架台を支持するための土台。
【請求項６】
前記プレートキットとして請求項２又は３に記載の異なる長さのプレートを含むプレートキットを用いたものであって、少なくとも２層の間で各プレートの接合位置を異ならせたものであることを特徴とする請求項５に記載の太陽光発電設備用架台を支持するための土台。
【請求項７】
前記プレート（Ａ）中のプレート同士及び／又はプレート（Ｂ）中のプレート同士の少なくとも一部に、接続梁及び／又はブレスを取り付けて組み立てて構成させたことを特徴とする請求項５又は６に記載の太陽光発電設備用架台を支持するための土台。
【発明の詳細な説明】
【技術分野】
【０００１】
本発明は、太陽光発電設備用架台を支持するための土台を組み立てるためのプレートキット、およびそれを用いて組み立てて構成させた太陽光発電設備用架台を支持するための土台に関する。
【背景技術】
【０００２】
近年、化石燃料等を利用した発電方法以外に、クリーンエネルギーである太陽光を利用し発電を行なう方式も採用されるようになり、実用化に向けて種々の研究、開発が行なわれている。
しかしながら、その研究、開発は、太陽光発電設備自体（太陽光パネル等）に関するものが多く、該太陽光発電設備を設置するための架台を支持するための土台に関して検討を行なったものは余りない。
【０００３】
太陽光発電設備は、一般の家屋の屋根上の他に、高層ビルの屋上等の高所に設置させる場合がほとんどであり、特に高層ビルの屋上は通常強風にさらされており、建築法に従って安定性を確保するために、太陽光発電設備及び該設備の架台、さらにそれを支持する土台をも含めた全体の重量を重くする（自重でもたせる）ことが行なわれている。また、太陽光発電設備を設置する構造物（ビル屋上等）の防水性を損なわないことも重要である。
【０００４】
このような太陽光発電設備の設置において、その架台を支持するための土台としては例えば図１〜３に示されるようなものが使用されている。
図１に示すものは、樹脂製容器中に水を入れて架台を支持するための土台としたものである。
この貯水式の土台は、樹脂製容器中に入れた水の自重を利用するものであるが、水の比重が「１」であるため、自ずと荷重が制限され高層ビルの屋上等の高所のような風圧の強い場所では適用が難しい。また、水の腐敗や、樹脂製容器の劣化による水漏れ等の問題がある。
【０００５】
また、図２に示すものは、コンクリートブロックとその上に組み立てた鉄骨とを組み合わせて架台を支持するための土台としたものである。
このコンクリートブロック式の土台は、コンクリートブロックを構成するコンクリートの比重が「２．５」と鉄の約１／３であり、そのため重量を重くするためにコンクリートブロックの体積を大きくするか、コンクリートブロックの数を多くする必要がある。設置の際には重機を使用して行なわなければならず、特に高所や狭い場所への設置は極めて困難である。また、設置面はライナー調整を必要とする等、設置においても煩雑な作業を要するという問題がある。
【０００６】
さらに、図３に示すものは、Ｈ鋼等とその上に組み立てた鉄骨とを組み合わせて架台を支持するための土台としたものである。
この鋼架台方式の土台は、Ｈ鋼、鉄骨の１本当たりの重量が重いため、設置の際には重機を使用して行なわなければならず、特に高所や狭い場所への設置は極めて困難である。また、この土台を分割構造にすると複雑になり、その加工に多くの時間を必要とする。
【０００７】
例えば、図３に示すものに準ずる具体例としては、特許文献１に提案されたものがあるが、図３のものと同様の問題点を有する。
また、特許文献２にも、太陽熱利用機器取付架台を支持するための土台が提案されているが、図３のものと同様の問題点を有する上、屋根瓦に穴を開けるため、防水性に関して充分なものではない。さらに、特許文献３にもソーラー器の受金具が提案されているが、構造、組み立てが極めて複雑である。
【０００８】
【特許文献１】実開昭６１−６９８５４号公報
【特許文献２】実用新案登録第３０８４６２１号公報
【特許文献３】実用新案登録第３０５１１３７号公報
【発明の開示】
【発明が解決しようとする課題】
【０００９】
本発明は、太陽光発電設備の設置における上記問題点を解決し、高層ビル屋上等の高い或いは狭い設置場所においても搬入、組み立てが容易である太陽光発電設備用架台を支持するための土台組立用プレートキット、およびそれを用いて組み立てた傾斜面に対しても密着した安定な設置が可能であり、大きさ、荷重を必要に応じて自由に変更でき、しかも被設置構造物の防水性を損なうことのない太陽光発電設備用架台を支持するための土台を提供することを目的とする。
【課題を解決するための手段】
【００１０】
即ち、本発明の上記目的は、下記（１）〜（７）により達成される。
（１）下段プレート（Ａ）と、その上に１枚以上を積層するための上段プレート（Ｂ１）乃至（Ｂｎ）と、該下段プレート（Ａ）と上段プレート（Ｂ１）乃至（Ｂｎ）とを繋ぐための板繋ぎボルトとの組合せからなり、前記下段プレート（Ａ）は、一方の面側に板繋ぎボルトをプレート面から立設するための雌ネジ孔が長手方向に等間隔で複数穿孔された帯状の最下段プレートユニット（Ａ１）乃至（Ａｎ）からなり、前記プレート（Ｂ１）乃至（Ｂｎ）は、それぞれ、前記板繋ぎボルトの立設間隔と同じ間隔で、該板繋ぎボルトを嵌挿しうる接続孔が設けられた複数の帯状の上段プレートユニット（Ｂ１１）〜（Ｂ１ｎ）の集合乃至（Ｂｎ１）〜（Ｂｎｎ）の集合からなり、前記上段プレート（Ｂ１）〜（Ｂｎ）の各プレートユニット（Ｂ１１）〜（Ｂ１ｎ）乃至（Ｂｎ１）〜（Ｂｎｎ）のそれぞれの集合は、長手方向に配列された前記下段プレートユニット（Ａ１）乃至（Ａｎ）の板繋ぎボルトを前記プレートユニット接続孔に嵌挿することにより、前記下段プレート（Ａ）上にプレートユニットを順次積層したときに、該下段プレート（Ａ）と共に細長い直方体土台を形成するものであることを特徴とする太陽光発電設備用架台を支持するための土台組立用プレートキット。
（２）前記最下段プレート（Ａ）が、異なる長さのユニットからなり、また、前記各上段プレート（Ｂ１）乃至（Ｂｎ）も、それぞれ、異なる長さのユニット（Ｂ１１）〜（Ｂ１ｎ）乃至（Ｂｎ１）〜（Ｂｎｎ）からなり、これらプレートユニットの長さの比は、最短のプレートユニットとその余のプレートユニットとの長さ比が、該最短のプレートユニット長さのいずれかの公倍数の関係にあることを特徴とする前記（１）に記載の太陽光発電設備用架台を支持するための土台組立用プレートキット。
（３）前記プレートユニットは、最も長いものと、該最も長い長さ１に対して２／３の長さのものと１／３の長さのものとの３種類からなることを特徴とする前記（２）に記載の太陽光発電設備用架台を支持するための土台組立用プレートキット。
（４）前記最上段プレート（Ｂｎ）は、太陽光発電設備用架台の高さ調整用アングルピースを１箇所以上に付設したものであることを特徴とする前記（１）乃至（３）のいずれかに記載の太陽光発電設備用架台を支持するための土台組立用プレートキット。
（５）前記（１）乃至（４）のいずれかに記載の土台組立用プレートキットを用いて組み立てた太陽光発電設備用架台を支持するための土台であって、前記最下段プレート（Ａ）の各最下段プレートユニット（Ａ１）乃至（Ａｎ）を、前記板繋ぎボルトを上向きに立設し、かつ各最下段プレートユニット（Ａ１）乃至（Ａｎ）を、水抜き用隙間を置いて長手方向に配置し、次いで前記複数のプレート（Ｂ１）乃至（Ｂｎ）のそれぞれのプレートユニットを、該プレートユニットに設けられた接続孔への前記板繋ぎボルトの嵌挿を介して、前記最下段プレート（Ａ）上にプレート（Ｂ）の（Ｂ１）乃至（Ｂｎ）のプレートユニットを１層以上積層した後、該板繋ぎボルトを締結して組み立てたことを特徴とする太陽光発電設備用架台を支持するための土台。
（６）前記プレートキットとして前記（２）又は（３）に記載の異なる長さのプレートを含むプレートキットを用いたものであって、少なくとも２層の間で各プレートの接合位置を異ならせたものであることを特徴とする前記（５）に記載の太陽光発電設備用架台を支持するための土台。
（７）前記プレート（Ａ）中のプレート同士及び／又はプレート（Ｂ）中のプレート同士の少なくとも一部に、接続梁及び／又はブレスを取り付けて組み立てて構成させたことを特徴とする前記（５）又は（６）に記載の太陽光発電設備用架台を支持するための土台。
【００１１】
即ち、本発明者等は、下記の点を鋭意検討した結果、本発明を完成するに至ったものである。
（ａ）自重について、比重が大きくて体積の小さいものを使用する。
（ｂ）分割・軽量化ができて、狭い場所での搬入を可能にし、組み立てが容易にできる構造とする。
（ｃ）分割・重ね合わせにより一体化することで、傾斜及びレベルが不均衡な場合でも床面に密着し、荷重が均等に伝わり、スラブに何ら支障をきたさない構造とする。
（ｄ）既設床面に基礎やアンカー打ち等が不要である構造とする。（従来は殆どが荷重不足のため、アンカー打ちや基礎を構築し、防水工事を行なっていた。）
【発明の効果】
【００１２】
本発明の太陽光発電設備用架台を支持するための土台組立用プレートキットは、太陽光発電設備用架台を支持するための土台を構成するプレートが、必要な長さに対して短く分割された複数のプレートユニットからなるものであり、分割されたプレートユニットの個々のものは軽量となるため、重機を使用することなく、高所や狭い場所でも搬入が可能であり、しかも、太陽光発電設備用架台を支持するための土台への組立て、分解撤去も容易である。
また、各分割されたプレートユニットは短いものであるため、設置面の傾斜面に対しても組み立てに際して細かい操作が可能となり、密着した設置を行なうことができる。
さらに、各分割されたプレートユニットを組み立てて太陽光発電設備用架台を支持するための土台を構成させるため、使用するプレートユニットの数や並べ方等を変更することにより、所望の形状、大きさ、及び必要な荷重のプレートの土台に自由に変更することができる。
さらにまた、高層ビルの屋上等の強い風圧に耐えるための、安定性を確保するのに充分な荷重の架台用土台とすることができ、ビル屋上等の設置面は通常防水構造となっているが、アンカー打ち等の処理を必要としないため、ビル屋上等の構造物の防水性を何ら損なうことがない。
【発明を実施するための最良の形態】
【００１３】
都心ビルは狭い場所に隣立し、また通路等も狭隘のため、ビル屋上等への太陽光発電設備架台やこれを支持するための土台の搬入及び組立ては困難を極めている。また架台を使用し、その上に太陽光発電設備を据え付ける際には、強風に耐えるに必要な荷重が得られず、基礎やアンカー打ち等が必要であった。
本発明は、このような問題を解決したものであり、必要とする長さの土台用プレートを分割し、軽量化することによって、重機を使用せずとも、手作業によって搬入が可能であり、また狭い場所においても、架台を支持する土台への組立てが容易な太陽光発電設備用架台を支持するための土台組立用プレートキットに関するものである。
また、本発明は、上記架台は、これを支持する土台組立用プレートキットを用いて組み立てられ、必要な荷重を確保でき、架台の設置面積も必要に応じて自由に変更でき、しかも設置場所の防水性を損なうことがなく、強固に結合した太陽光発電設備用架台を支持するための土台に関するものである。
【００１４】
本発明を図面に基づいて更に詳細に説明する。
図４は、本発明の太陽光発電設備用架台を支持するための土台組立用プレートキット（以下、架台を支持するための土台組立用プレートキットと略称する）の基本的な構成の例を示したものである。
本発明の架台を支持するための土台組立用プレートキットは、下段プレート（Ａ）と、その上に１枚以上を積層するための上段プレート（Ｂ１）乃至（Ｂｎ）と、該下段プレート（Ａ）と上段プレート（Ｂ１）乃至（Ｂｎ）とを繋ぐための板繋ぎボルトとの組合せからなり、下段プレート（Ａ）は、一方の面側に板繋ぎボルトをプレート面から立設するための雌ネジ孔が長手方向に等間隔で複数穿孔された帯状の最下段プレートユニット（Ａ１）乃至（Ａｎ）からなり、プレート（Ｂ１）乃至（Ｂｎ）は、それぞれ、板繋ぎボルトの立設間隔と同じ間隔で、板繋ぎボルトを嵌挿しうる接続孔が設けられた複数の帯状の上段プレートユニット（Ｂ１１）〜（Ｂ１ｎ）の集合乃至（Ｂｎ１）〜（Ｂｎｎ）の集合からなり、上段プレート（Ｂ１）〜（Ｂｎ）の各プレートユニット（Ｂ１１）〜（Ｂ１ｎ）乃至（Ｂｎ１）〜（Ｂｎｎ）のそれぞれの集合は、長手方向に配列された下段プレートユニット（Ａ１）乃至（Ａｎ）の板繋ぎボルトをプレートユニット接続孔に嵌挿することにより、下段プレート（Ａ）上にプレートユニットを順次積層したときに、下段プレート（Ａ）と共に細長い直方体土台を形成するものである。
図４では下段プレート（Ａ）は、下段プレートユニットが２枚、プレート（Ｂ１）乃至（Ｂｎ）も、それぞれ、プレート２枚から構成されている。該下段プレート（Ａ）のプレートユニット（Ａ１）（Ａ２）には、一方の面の盲ネジ孔（無論、ボルト頭が突出しない程度の深さのボス座が反対側に穿設された貫通孔であっても差し支えない）中に螺合された板繋ぎボルトが３本立設されている。また、プレート（Ｂ１）のプレートユニット（Ｂ１１）（Ｂ１２）には該板繋ぎボルトと同じ間隔でかつ該板繋ぎボルトを嵌挿しうる接続孔が設けられている。
【００１５】
図４では、下段プレートユニットが２枚、その上に重ね合わせるためのプレートユニットが２枚づつ計８枚からなり、下段プレートユニットに設けられた板繋ぎボルトが３本、またその上に重ね合わせるためのプレートの接続孔が３個設けられているが、本発明の架台を支持するための土台組立用プレートキットにおいては、各プレートの枚数やそれぞれのプレートを構成するプレートユニットの個数、板繋ぎボルトの数や長さ、接続孔の数は、これらに限定されず、架台の必要な荷重や強度、架台の上に据え付けられる太陽光発電設備の大きさ等により、必要に応じて適宜変更することができる。このことにより、本発明の架台を支持するための土台組立用プレートキットは、太陽光発電設備の大きさ等によらず、どのようなものに対しても対応することができる。
なお、このような本発明の効果は、以下の他の例においても同様である。
【００１６】
本発明の架台を支持するための土台組立用プレートキットにおいて、下段プレートユニット（Ａ）及びプレートユニット（Ｂ）の各々のプレートは、その幅、厚さの寸法が相互に同じ（即ち、同一形状）であってもよく、また異なっていてもよい。少なくとも厚さは同一であることが好ましく、厚さが異なったものが混在すると組み立てた架台を支持するための土台の高さが不均一となる。全てのプレートが同一形状の場合は、架台を支持するための土台組み立て操作が簡単であり、組み立てた後の架台も直線的で外観に優れている。また、その長さは異なったものであることが好ましい。長手方向に配置したプレートユニットを重ねたとき、上下の隣接するプレートのプレートユニットの接合面が同箇所に位置しないように配置することにより、土台の特定箇所における長手方向接合強度を損なうことがなくなる。
【００１７】
図５は、プレート（Ｂ）のプレートユニットを、複数の異なる長さのもの、例えば最も長いものと、該最も長いもの１に対して２／３の長さのものと、１／３の長さのものとの３種類で構成した例を示したものである。
図５は、プレート（Ｂ）のプレートユニットについて示したが、下段プレートユニット（Ａ）のプレートについても同様に複数の異なる長さのもので構成してもよく、かつ好ましい。
図６は、図５に示すプレート（Ｂ）のプレートユニットを構成要素の一部とする本発明の架台を支持するための土台組立用プレートキットの例を示したものである。
【００１８】
プレートユニットを複数の異なる長さのものとする場合、ランダムに異なるものとしてもよいが、図５に示すようにプレートユニットを、規則的に分割したもの、例えば１、２／３、１／３の割合（即ち３：２：１）の長さのものを組み合わせることにより、既に説明したように、架台を支持するための土台の組み立ての際に、重ね合わせ時に土台のプレートのプレートユニット長さを替えることにより、少なくとも２層の間でプレートユニットの接合位置を異ならせることができ、土台が強固に一体になり、かつ一直線とすることができ、外観に優れた土台とすることができる。
【００１９】
また、本発明の架台支持のための土台組立用プレートキットにおいて、図６及び図７に示すように、上段プレートにレベル調整用アングルピースを付設することが好ましい。
太陽光発電設備用架台を設置する面は、平坦とは限らず、通常高さが不揃いであり、架台はその上にそのまま設置される。その場合、上段プレートとしてレベル調整用アングルピースを付設したものを用いた場合、架台の太陽光発電設備据え付け面を平坦にすることができる。
【００２０】
本発明の架台支持のための土台組立用プレートキットはその材質として、一般構造用圧延鋼材（ＪＩＳ  Ｇ  ３１０１…ＳＳ３３０、ＳＳ４００、ＳＳ４９０等）を用いることができる。
また、本発明の架台支持のための土台組立用プレートキットには、架台を設置する際に土台の安定性等を向上させるため及び屋上面保護のため、ゴム板を含ませることが好ましい。
【００２１】
また、本発明の架台支持のための土台組立用プレートキットの各プレートユニットの大きさとしては、長さが１，４００ｍｍ、幅が２５０ｍｍ、厚さが１６ｍｍ程度である。具体的には、例えば、長さが１，４１７ｍｍ、幅が２５０ｍｍ、厚さが１６ｍｍのプレートユニットが挙げられる。そして、これの材質としてＳＳ４００を用いた場合、プレートユニット１枚の重量は４４．４９ｋｇとなる。
また本発明の架台支持のための土台組立用プレートキットの総重量は、土台を組み立てた場合の必要荷重と実質的に同じである。
【００２２】
次に、本発明の架台支持するための土台組立用プレートキットを用いて土台とともに組み立てて構成した太陽光発電設備用架台について説明する。
先ず、高層ビル屋上等に、下段プレート（Ａ）の下段プレートユニットを、板繋ぎボルトが上向きとなるように、長手方向に一直線に並べる。次いで、その上に重ね合わせるためのプレート（Ｂ）の各プレートユニットを、該プレートの接続孔に、前記下段プレートの板繋ぎボルトと嵌挿させながら、多層に重ね合わせた後にボルト上部をナット締めすることによって、本発明の太陽光発電設備用架台支持のための土台を組み立ててこれに架台を組み合わせて構成することができる。この際、下段プレートの下には安定性等の向上のため、ゴム板を敷くことが好ましい。このようにして組み立てて構成した本発明の土台で支持された架台の上に太陽光発電設備を据え付けた場合の例の概略外観傾斜図を図８に示す。
なお、太陽光発電設備を据え付ける場合には、ボルトを用いて架台を強固に結合させる。ボルトの材質としては、機械構造用炭素鋼鋼材（ＪＩＳ  Ｇ  ４０５１…Ｓ２５Ｃ等）を用いることができる。
【００２３】
図９は、本発明の太陽光発電設備用架台の例の正面図を示したものである。下段プレート間は直接結合させてもよいが、図９に示すように下段プレートユニット間に水抜き用隙間を設けて並べることが好ましい。
この際には、下段プレートは、その上に重ね合わせるためのプレートより、水抜き用隙間分だけ、長さを短くする必要がある。
【００２４】
また、下段プレート上に重ね合わせる上段プレートは、下段プレートの接合位置（水抜き用隙間を設ける場合は該隙間の位置）と、同じ位置で接合させてもよいが、図９に示すように、少なくとも２層間において、下段プレートのプレートユニットの接合位置及び／又はその上に重ね合わせたプレートのプレートユニット接合位置と異ならせて嵌挿されたボルト端部をナット締めすることが好ましい。こうすることによって、各プレート間の結合がより強固となり、架台を支持するための土台全体が強固に結合したものとなる。図９は、下段プレート層、及びその上に重ね合わせた各プレート層の、各隣接する層の間で、全て相互に接合位置を異ならせた構成のものであり、土台は極めて強固に結合した状態となっている。
【００２５】
また、本発明の太陽光発電設備用架台は、地震などを考慮し、該架台を構成する各プレート同士、及び／又は該架台同士は、接続梁及びブレスを取り付けることが好ましい。
【００２６】
本発明の具体的１例を図面に基づいて更に詳細に説明するが、この具体例は本発明を説明するためのものであって、本発明を制限するためのものではない。
図１０は、この具体例における太陽光発電モジュールの配置を示す。１１００×１４１０ｍｍサイズの発電モジュールが幅１０ｍｍの間隔をおいて１列１１枚で３列配置されており、したがって、太陽光発電モジュールのサイズは幅３３５０ｍｍ×長さ１５６１０ｍｍである。なお、以下に説明する図１１〜図２２における寸法を示す数値の単位はｍｍである。
【００２７】
図１１は、図１０のＡ−Ａ矢方向から見た側面図である。前記配置の太陽光発電モジュールは、設置場所の緯度と同程度の角度（３５°）で水平面から傾いて設置されている。また、この図から、本具体例の太陽光発電モジュール用架台構造及び土台構造の概要が理解される。ゴム盤上に配置された土台（１）及び土台（２）間を接続する接続梁が、３本の梁部材を接続することにより設けられている。
【００２８】
図１２は、前記太陽光発電モジュールの外形及び把持構造を示す。
図１３は、図１２の土台（１）及び土台（２）の最上段プレートのプレートユニット接合位置（Ｐ）及び、土台（１）及び土台（２）間を固定する接続梁とブレスの配置を示す（図１３Ａ）。また、土台（１）を構成する７枚のプレートのプレートユニットの接合状態を示す（図１３Ｂ）。重ね合わせ時に土台のプレートのプレートユニット長さを替え、また、プレートユニットの接合位置を上下プレートで同位置にならないように配置することにより、土台が強固に一体になり、かつ一直線とすることができ、外観に優れた土台とすることができる。
【００２９】
図１４は、土台（１）のコーナー部分を示す。この図から、土台の厚さ（高さ）がわかり、板繋ぎボルトをプレート面から立設するための盲雌ネジ孔に、板繋ぎボルトが螺合されている様子が分かり、また、最上段プレートに設けられている高さ調整用のアングルピースの様子が分かり、下段プレートユニット間に設けられた水はけ用の間隙が分かる。
図１５は、図１０におけるＹ通り脚部の詳細を示し、図１６は、図１０におけるＸ通り脚部の詳細を示し、図１７は、図１１のＤ−Ｄ矢視であり、図１８は、図１１におけるＹ通り脚部の寸法関係を示し、図１９は、図１１のＣ−Ｃ矢視であり、図２０は、この具体例における太陽光発電モジュール取付梁の詳細を示し、図２１は、この具体例における台盤繋ぎ方法を示し、図２２は、図１１におけるＧ部の詳細を示す。
【００３０】
この具体例のものは、比重が大きくて体積の小さい材料を用い、分割・軽量化ができて、狭い場所での搬入を可能にし、床面に基礎やアンカー打ち等が不要で、ビル屋上等の構造物の防水性を何ら損なうことがなく、組み立てが容易にできる構造であり、組み立てたときに充分な自重を有しかつ強固であり、高層ビルの屋上等の強い風圧に耐え、安定性を確保する架台用土台とすることができるという優れた効果を奏するものである。
【図面の簡単な説明】
【００３１】
【図１】従来の太陽光発電設備用架台を支持するための土台の一例を示す概略図である。
【図２】従来の太陽光発電設備用架台を支持するための土台の他の例を示す概略図である。
【図３】従来の太陽光発電設備用架台を支持するための土台の他の例を示す概略図である。
【図４】本発明の太陽光発電設備用架台を支持するための土台組立用プレートキットの例を示す図である。
【図５】本発明の太陽光発電設備用架台を支持するための土台組立用プレートキットを構成する長さの異なるプレートの例を示す図である。
【図６】図５に示すプレートを構成要素の一部とする本発明の太陽光発電設備用架台を支持するための土台組立用プレートキットの例を示す図である。
【図７】本発明の太陽光発電設備用架台を支持するための土台組立用プレートキットの他の例を示す図である。
【図８】本発明の太陽光発電設備用架台を支持するための土台及び該架台を用い、その上に太陽光発電設備を据え付けた場合の概略斜視図である。
【図９】本発明の太陽光発電設備用架台を支持するための土台の概略正面図である。
【図１０】本実施例における太陽光発電モジュールの配置を示す。
【図１１】図１０をＡ−Ａ矢方向から見た側面図である。
【図１２】本実施例の太陽光発電モジュールの外形及び把持構造を示す図である。
【図１３】（Ａ）は図１０をＢ−Ｂ矢方向から見た側面図であり、（Ｂ）は土台を構成する７枚のプレートのプレートユニットの接合状態の一例を示す図である。
【図１４】本実施例の土台のコーナー部分を示す図である。
【図１５】図１０におけるＹ通り脚部の詳細を示す図である。
【図１６】図１０におけるＸ通り脚部の詳細を示す図である。
【図１７】図１１をＤ−Ｄ矢方向から見た側面図である。
【図１８】図１１におけるＹ通り脚部の寸法を示す図である。
【図１９】図１１をＣ−Ｃ矢方向から見た側面図である。
【図２０】本実施例の太陽光発電モジュール取付梁の詳細を示す図である。
【図２１】本実施例の台盤繋ぎ方法の詳細を示す図である。
【図２２】図１１におけるＧ部の詳細を示す図である。
【符号の説明】
【００３２】
１    土台
２    土台
Ｐ    プレートユニット接合位置
【図１】
2005299127.tif 000003
【図２】
2005299127.tif 000004
【図３】
2005299127.tif 000005
【図４】
2005299127.tif 000006
【図５】
2005299127.tif 000007
【図６】
2005299127.tif 000008
【図７】
2005299127.tif 000009
【図８】
2005299127.tif 000010
【図９】
2005299127.tif 000011
【図１０】
2005299127.tif 000012
【図１１】
2005299127.tif 000013
【図１２】
2005299127.tif 000014
【図１３】
2005299127.tif 000015
【図１４】
2005299127.tif 000016
【図１５】
2005299127.tif 000017
【図１６】
2005299127.tif 000018
【図１７】
2005299127.tif 000019
【図１８】
2005299127.tif 000020
【図１９】
2005299127.tif 000021
【図２０】
2005299127.tif 000022
【図２１】
2005299127.tif 000023
【図２２】
2005299127.tif 000024